(57)【要約】      （修正有）【課題】ゴキブリ捕獲器の内部が見えにくいゴキブリ捕獲器を提供する。【解決手段】ゴキブリ捕獲器１は、天板２、触覚返し板６、中側板、大型進入口３、小型進入口４、底板７からなり、天板２には差込口、差込受け、ツマミがあり、触覚返し板６は４５度の傾斜角度を作り、中側板の内には、高さ２ｍｍ〜５ｍｍになる大型進入窓８が空けられており、大型進入口３と小型進入口４は３０度〜４５度の傾斜角度を作り、底板７は粘着面１０、剥離紙で構成される。ゴキブリ捕獲器１の左右にある天板２の差込口を、差込受けに差し込むと、直方体で台形のゴキブリ捕獲器１が形成される。ゴキブリ捕獲器１の中側板の内には、高さ２ｍｍ〜５ｍｍになる大型進入窓８がカットされており、ゴキブリ捕獲器を組み立てた際に、大型進入窓８が斜め内下向きに配置される為、外部からゴキブリ捕獲器の内部は見えにくくなる。【選択図】図２
0003230678.tif 000002
【実用新案登録請求の範囲】
【請求項１】
ゴキブリ捕獲器は、天板、触覚返し板、中側板、大型進入口、小型進入口、底板からなり、天板には差込口、差込受け、ツマミがあり、触覚返し板は１５度〜７５度の傾斜角度を作り、中側板の内には、高さ２ｍｍ〜５ｍｍになる大型進入窓が斜め内下向きに空けられており、大型進入口と小型進入口には３０度〜４５度の傾斜角度を作り、底板は粘着面、剥離紙で構成されるゴキブリ捕獲器
【請求項２】
大型進入口と小型進入口の傾斜角度を３０度〜４５度に設け、ゴキブリの触覚を粘着面に触れなくし、斜め内下向きの大型進入窓の高さを２ｍｍ〜５ｍｍと低くする事で、ゴキブリの触覚をゴキブリ捕獲器の内部に入りにくくし、傾斜角度１０度〜７５度の触覚返し板で、ゴキブリの触覚を上部に返す事で、ゴキブリがゴキブリ捕獲器に入りやすくなる事と特徴とする請求項１記載のゴキブリ捕獲器
【考案の詳細な説明】
【技術分野】
【０００１】  本考案は、紙を使用した組み立て式のゴキブリ捕獲器に関する。
【背景技術】
【０００２】  従来の、一般的なゴキブリ捕獲器としては、図３のような紙製の組み立て式のゴキブリ捕獲器が上げられる。【０００３】  紙製のゴキブリ捕獲器は、平面状の一枚の紙で構成されており、左右の一番端にある天板には、それぞれ差込口と差込受けがあり、差込口を差込受けに差し込む事で、直方体で台形のゴキブリ捕獲器が形成される。【０００４】  側板は、天板の次にあり、ゴキブリの進入口となる大型進入口と、大型進入窓がカットされており、また大型進入窓がカットされた型に合わせて、屋根になる部分が設けられている。【０００５】  側板は、天板の左右にある差込口を、差込受けに差し込むと同時に、側板が内側へと斜めに３０度〜４５度程外に傾き、大型進入口を３０度〜４５度の傾斜角度に保つと共に、側板にカッティングされた大型進入窓が形成され、それに平行して屋根部分が上部に開き展開する構造になっている。【０００６】  大型進入口は、ゴキブリの進入しやすい角度である３０度〜４５度の傾斜角度が良いとされる。この大型進入口の３０度〜４５度の傾斜角度は、ゴキブリがゴキブリ捕獲器内部に侵入しようとした際に、ゴキブリの触覚部分を粘着面に触れさせない為に必要な角度である。【０００７】  ゴキブリは警戒心が高く、ゴキブリの触覚部分にて様々な情報を得ようとするので、ゴキブリ捕獲器に入ろうとする際にも、ゴキブリ捕獲器の周辺、ゴキブリ捕獲器の外部、あるいは内部に、この触覚を接触させ、さかんに動かす事により安全を確認する。【０００８】  大型進入口の３０度〜４５度の傾斜角度がない場合は、ゴキブリの触覚が粘着面に触れる為、ゴキブリは危険を察知し、ゴキブリ捕獲器には入らない。【０００９】  小型進入口は、底板の上下に配置されており、天板の組み立ての際に、側板を内側に折り曲げると、大型進入口の側面部分と繋がる小型進入口の側面部分が、互いに連動して、小型進入口を内側に押し込み、小型進入口と小型進入窓を形成するパターンと、手動にて小型進入口を内側に折り曲げて、小型進入口と小型進入窓を形成するパターンがある。【００１０】  底板は、ゴキブリ捕獲器の中央に位置し、剥離紙と粘着面が備わっている。【００１１】  底板の剥離紙を剥がし、粘着面を露出させ、粘着面の中央部に誘引剤を置く事で、ゴキブリを、誘引剤でゴキブリ捕獲器内部へと誘引し、ゴキブリ捕獲器内部に侵入したゴキブリは粘着面で捕獲される。【００１２】  市販品のゴキブリ捕獲器の多くは以下の特徴で構成される。【００１３】  第一にゴキブリ捕獲器の大型進入口、小型進入口の傾斜角度は３０度〜４５度である。【００１４】  この角度は、ゴキブリがゴキブリ捕獲器に侵入しようとした際に、ゴキブリの触覚を粘着面に触れされない為に必要な角度である。【００１５】  大型進入口、小型進入口に傾斜角度を設けない場合には、ゴキブリ捕獲器の粘着面に、ゴキブリの触覚が触れやすくなり、捕獲率が大幅に下がる【００１６】  第二にゴキブリ捕獲器の高さは２〜３ｃｍ以内であり、大型進入窓の高さは１〜２ｃｍ以上ある。【００１７】  この大型進入窓の高さは、ゴキブリが大型進入口をよじ登り、大型進入窓からゴキブリ捕獲器内部に入ろうとした際に、ゴキブリの触覚が、天板の下側に当たり、触覚が折���曲げれられて、粘着面に触れさせない為に必要な高さである。【００１８】  ゴキブリの触覚を天板の下側に触れさせない為には、大型進入窓には一定の高さが必要になるので、高さ２ｃｍ以下のゴキブリ捕獲器を作ろうとした場合、やはり捕獲率が大幅に下がる。【００１９】  大型進入窓は一定の高さ１〜２ｃｍが必要になる為、大型進入窓からゴキブリ捕獲器の内部が見えやすくなり、捕獲されたゴキブリを確認しやすくもなるが、人によっては捕獲されたゴキブリを見て不快に感じる原因にもなる。
【考案の開示】
【考案が解決しようとする課題】
【００２０】  ゴキブリ捕獲器の内部が見えにくいゴキブリ捕獲器を提供する。
【課題を解決する為の手段】
【００２１】  ゴキブリ捕獲器１は、天板２、触覚返し板６、中側板５、大型進入口３、小型進入口４、底板７からなり、天板２には差込口１３、差込受け１４、ツマミ１５があり、触覚返し板６は４５度の傾斜角度を作り、中側板５の内には、高さ２ｍｍ〜５ｍｍになる大型進入窓８が空けられており、大型進入口３と小型進入口４は３０度〜４５度の傾斜角度を作り、底板５は粘着面１０、剥離紙１１で構成される。ゴキブリ捕獲器１の左右にある天板２の差込口１３を、差込受け１４に差し込むと、直方体で台形のゴキブリ捕獲器１が形成される。ゴキブリ捕獲器１の中側板５の内には、高さ２ｍｍ〜５ｍｍになる大型進入窓８がカットされており、ゴキブリ捕獲器を組み立てた際に、大型進入窓８が斜め内下向きに配置される為、外部からゴキブリ捕獲器の内部は見えにくくなる。大型進入口３と小型進入口４の傾斜角度を３０度〜４５度に設け、ゴキブリの触覚を粘着面１０に触れなくし、更に斜め内下向きの大型進入窓８の高さを２ｍｍ〜５ｍｍと低くする事で、ゴキブリの触覚をゴキブリ捕獲器１の内部に入りにくくし、傾斜角度４５度の触覚返し板６で、ゴキブリの触覚を上部に返す事で、ゴキブリがゴキブリ捕獲器１に入りやすくなる。
【考案の効果】
【００２２】  本考案のゴキブリ捕獲器では以下の効果がある。
【００２３】  従来のゴキブリ捕獲器では、大型進入窓の高さは１ｃｍ〜２ｃｍが必要であった。この大型進入窓の高さは、ゴキブリが大型進入口をよじ登り、大型進入窓からゴキブリ捕獲器内部に入ろうとした際に、ゴキブリの触覚が、天板の下側に当たり、触覚が折り曲げれられて、粘着面に触れさせない為に必要な高さである。
【００２４】  また、大型進入口と小型進入口には３０度〜４５度の傾斜角度が設けてあり、この傾斜角度は、ゴキブリがゴキブリ捕獲器に侵入しようとした際に、ゴキブリの触覚を粘着面に触れされない為に必要な傾斜角度である。
【００２５】  （００２３）〜（００２４）の理由により、従来のゴキブリ捕獲器の大きさは、１ｃｍ〜２ｃｍの大型進入窓の高さと、３０度〜４５度の傾斜角度の大型進入口が必要になり、ゴキブリ捕獲器の内部は、斜め外上向きの大型進入窓から丸見えになっていた。
【００２６】  その為、捕獲されたゴキブリが大型進入窓から見えてしまい不快な面もあった。
【００２７】  本考案のゴキブリ捕獲器では、ゴキブリ捕獲器を組み立てた際に、高さ２ｍｍ〜５ｍｍの大型進入窓８が、斜め内下向きに配置される為、大型進入窓８からゴキブリ捕獲器の内部は見えにくくなる。
【００２８】  斜め内下向きの大型進入窓８の高さを２ｍｍ〜５ｍｍと低くする事で、ゴキブリの触覚をゴキブリ捕獲器１の内部に入りにくくする事ができる。
【００２９】  体長５ｃｍの成虫クロゴキブリでも２ｍｍ程の隙間があれば入る事ができる為、大型進入窓８の高さは、低くしても構わない。
【００３０】  しかし、従来の多くのゴキブリ捕獲器は、大型進入窓の高さを低くすると、ゴキブリの触覚が、天板の下側に当たり、触覚が折り曲げられて粘着面に触れ、ゴキブリに警戒される事になり、捕獲率が大幅に下がるので、大型進入窓の高さを低くする事はできなかった。
【００３１】  本考案のゴキブリ捕獲器では、高さ２ｍｍ〜５ｍｍの大型進入窓８の上に、触覚返し板６を１０度〜７０度の傾斜角度で設ける事により、触覚返し板６で、ゴキブリの触覚を上部に返し、ゴキブリがゴキブリ捕獲器１に入りやすくなる。
【考案を実地する為の最良の形態】
【００３２】  ゴキブリ捕獲器１から、剥離紙１１を引き剥がし、粘着面１０を露出させる。粘着面１０の中央部には、誘引剤１２を設置する。
【００３３】  ゴキブリ捕獲器１の、左右にある天板２を内側へと折りたたみ、天板２の左右の端にある差込口１３と差込受け１４を使用し、お互いに差込んで組むと、直方体で台形のゴキブリ捕獲器（図２）が形成される。
【００３４】  側板は、天板２の左右の端にある差込口を、差込受けに差し込むと同時に、側板が内側へと斜めに３０度〜４５度程に傾き、大型進入口３を３０度〜４５度の傾斜角度に保つと共に、中側板５にカッティングされた大型進入窓８と、触覚返し板６が３０度〜４５度の傾斜角度で形成される。
【００３５】  小型進入口４は、底板７の上下に配置されており、天板２の組み立ての際に、側板を内側に折り曲げると、大型進入口３の側面部分と繋がる小型進入口４の側面部分が、互いに連動して、小型進入口４を内側に押し込み、小型進入口４と小型進入窓９を形成する。
【００３６】  半円形状にカットされたツマミ１５を起こすことで、ツマミ１５を取っ手にする事ができる。
【００３７】  （００３２）〜（００３６）により、ゴキブリ捕獲器を組み立てる事ができる。
【００３８】  組み立てたゴキブリ捕獲器は、台所の隅や流し台の下など、ゴキブリの発生源になる場所に設置すると良い。
【図面の簡単な説明】
【００３９】
【図１】  ゴキブリ捕獲器を示した展開図である。
【図２】  ゴキブリ捕獲器を示した側面断面図である。
【図３】  従来のゴキブリ捕獲器を示した側面断面図である。
【符号の説明】
【００４０】  １  ゴキブリ捕獲器
２  天板
３  大型進入口
４  小型進入口
５  中側板
６  触覚返し板
７  底板
８  大型進入窓
９  小型進入窓
１０  粘着面
１１  剥離紙
１２  誘引剤
１３  差込口
１４  差込受け
１５  ツマミ
【図１】
0003230678.tif 000003
【図２】
0003230678.tif 000004
【図３】
0003230678.tif 000005
【手続補正書】
【提出日】令和2年11月11日(2020.11.11)
【手続補正１】
【補正対象書類名】実用新案登録請求の範囲
【補正対象項目名】全文
【補正方法】変更
【補正の内容】
【実用新案登録請求の範囲】
【請求項１】
ゴキブリ捕獲器は、天板、触覚返し板、中側板、大型進入口、小型進入口、底板からなり、天板には差込口、差込受け、ツマミがあり、触覚返し板は１０度〜７５度の傾斜角度を作り、中側板の内には、高さ２ｍｍ〜５ｍｍになる大型進入窓が斜め内下向きに空けられており、大型進入口と小型進入口には３０度〜４５度の傾斜角度を作り、底板は粘着面、剥離紙で構成されるゴキブリ捕獲器
【請求項２】
大型進入口と小型進入口の傾斜角度を３０度〜４５度に設け、ゴキブリの触覚を粘着面に触れなくし、斜め内下向きの大型進入窓の高さを２ｍｍ〜５ｍｍと低くする事で、ゴキブリの触覚をゴキブリ捕獲器の内部に入りにくくし、傾斜角度１０度〜７５度の触覚返し板で、ゴキブリの触覚を上部に返す事で、ゴキブリがゴキブリ捕獲器に入りやすくなる事と特徴とする請求項１記載のゴキブリ捕獲器